(57)【要約】【課題】出力および変換効率が低下し難い太陽電池モジュールを実現する。【解決手段】太陽電池モジュールは、行列状に配される複数の太陽電池セルと、複数の太陽電池セルを電気的に接続する複数の接続部とを備える。該太陽電池モジュールでは、第１太陽電池セルと該第１太陽電池セルと電気的に並列に接続される第２太陽電池セルとをそれぞれ含む複数の太陽電池セル群が、電気的に直列に接続される。各太陽電池セル群では、第１太陽電池セルは、該第１太陽電池セルを囲む８つの太陽電池セルには電気的に並列に接続されておらず、第２太陽電池セルは、該第２太陽電池セルを囲む８つの太陽電池セルには電気的に並列に接続されていない。更に、各太陽電池セル群では、第１太陽電池セルと第２太陽電池セルとが、複数の太陽電池セル群のうちの残余の太陽電池セル群に含まれる１以上の太陽電池セルを挟んで電気的に並列に接続されている。【選択図】図３
2012234896.tif 000002
【特許請求の範囲】
【請求項１】
第１方向と第２方向とに沿って行列状に配される複数の太陽電池セルと、
前記複数の太陽電池セルを電気的に接続する複数の接続部と、を備え、
前記複数の太陽電池セルのうちの第１太陽電池セルと該第１太陽電池セルと電気的に並列に接続されている第２太陽電池セルとをそれぞれ含む複数の太陽電池セル群は、電気的に直列に接続されており、
各前記太陽電池セル群において、
前記第１太陽電池セルは、前記複数の太陽電池セルにおける該第１太陽電池セルを中心とする３行３列の９つの太陽電池セルのうちの該第１太陽電池セルを囲む８つの太陽電池セルには電気的に並列に接続されておらず、
前記第２太陽電池セルは、前記複数の太陽電池セルにおける該第２太陽電池セルを中心とする３行３列の９つの太陽電池セルのうちの該第２太陽電池セルを囲む８つの太陽電池セルには電気的に並列に接続されておらず、
前記第１太陽電池セルと前記第２太陽電池セルとは、前記複数の太陽電池セル群のうちの残余の太陽電池セル群に含まれる１以上の太陽電池セルを挟んで電気的に並列に接続されている太陽電池モジュール。
【請求項２】
各前記太陽電池セル群において、前記第１太陽電池セルと前記第２太陽電池セルとは、前記残余の太陽電池セル群に含まれる２以上の太陽電池セルを挟んで電気的に並列に接続されている請求項１に記載の太陽電池モジュール。
【請求項３】
前記複数の太陽電池セル群のうちの少なくとも１つの太陽電池セル群は、前記複数の太陽電池セルのうちの前記第１太陽電池セルと前記第２太陽電池セルとを含む２つの太陽電池セルのみを含む請求項１または請求項２に記載の太陽電池モジュール。
【発明の詳細な説明】
【技術分野】
【０００１】
本発明は、太陽電池モジュールに関する。
【背景技術】
【０００２】
従来、複数の太陽電池セルが直列に接続されることで、所望の電圧が得られる太陽電池パネルが知られている（例えば、特許文献１等）。
【先行技術文献】
【特許文献】
【０００３】
【特許文献１】特開平７−１３１０４９号公報
【発明の概要】
【発明が解決しようとする課題】
【０００４】
しかしながら、複数の太陽電池セルのうちの一部の太陽電池セルが、障害物の影に入って太陽光を受光することができない場合、該一部の太陽電池セルが太陽電池パネル全体の負荷となり、太陽電池パネルの内部抵抗が増大し得る。このとき、該一部の太陽電池セルは、発熱するホットスポット現象によって不具合を生じる可能性もある。
【０００５】
このような問題に対して、直列に接続される複数の太陽電池セルのうち、所定数の太陽電池セル毎に、バイパスダイオードが設けられる構成が考えられる。例えば、図１５で示されるように、１８個の太陽電池セル１０４からなる各セル群Ｇｒ１〜Ｇｒ３に１つのバイパスダイオード１８１ａ〜１８１ｃが設けられた太陽電池パネル１０１が考えられる。
【０００６】
この太陽電池パネル１０１では、例えば、図１６で示されるように、セル群Ｇｒ３に含まれる１個の太陽電池セル１０４Ｘが障害物の影に入ると、セル群Ｇｒ３において、内部抵抗が高まり、電圧の降下が生じて、バイパスダイオード１８１ｃに電流が流れ得る。このとき、太陽電池セル１０４Ｘを含むセル群Ｇｒ３の全ての太陽電池セル１０４が発電に利用されなくなり得る。つまり、各セル群Ｇｒ１〜Ｇｒ３では、１個の太陽電池セル１０４における発電が不可能となると、残りの１７個の太陽電池セル１０４が発電可能であっても、全ての太陽電池セル１０４が発電に利用されなくなり得る。その結果、太陽電池パネルにおける出力および変換効率が低下し得る。
【０００７】
そこで、出力および変換効率が低下し難い太陽電池モジュールが望まれている。
【課題を解決するための手段】
【０００８】
一態様に係る太陽電池モジュールは、第１方向と第２方向とに沿って行列状に配される複数の太陽電池セルと、前記複数の太陽電池セルを電気的に接続する複数の接続部とを備えている。該太陽電池モジュールでは、前記複数の太陽電池セルのうちの第１太陽電池セルと該第１太陽電池セルと電気的に並列に接続されている第２太陽電池セルとをそれぞれ含む複数の太陽電池セル群は、電気的に直列に接続されている。そして、各前記太陽電池セル群において、前記第１太陽電池セルは、前記複数の太陽電池セルにおける該第１太陽電池セルを中心とする３行３列の９つの太陽電池セルのうちの該第１太陽電池セルを囲む８つの太陽電池セルには電気的に並列に接続されていない。また、各前記太陽電池セル群において、前記第２太陽電池セルは、前記複数の太陽電池セルにおける該第２太陽電池セルを中心とする３行３列の９つの太陽電池セルのうちの該第２太陽電池セルを囲む８つの太陽電池セルには電気的に並列に接続されていない。更に、各前記太陽電池セル群において、前記第１太陽電池セルと前記第２太陽電池セルとは、前記複数の太陽電池セル群のうちの残余の太陽電池セル群に含まれる１以上の太陽電池セルを挟んで電気的に並列に接続されている。
【発明の効果】
【０００９】
上記一態様に係る太陽電池モジュールでは、出力および変換効率が低下し難い。
【図面の簡単な説明】
【００１０】
【図１】一実施形態に係る太陽電池モジュールの外観を例示する模式図である。
【図２】図１にて一点鎖線II−IIで示した位置における断面図である。
【図３】一実施形態に係る複数の太陽電池セルの配列と接続態様とを示す図である。
【図４】一実施形態に係る複数の太陽電池セルの電気的な接続態様を示す図である。
【図５】一実施形態に係る太陽電池モジュールの発電状態を例示する模式図である。
【図６】第１変形例に係る複数の太陽電池セルの配列と接続態様とを示す図である。
【図７】第１変形例に係る複数の太陽電池セルの電気的な接続態様を示す図である。
【図８】第２変形例に係る複数の太陽電池セルの配列と接続態様とを示す図である。
【図９】第２変形例に係る複数の太陽電池セルの電気的な接続態様を示す図である。
【図１０】第２変形例に係る太陽電池モジュールの発電状態を例示する模式図である。
【図１１】第３変形例に係る複数の太陽電池セルの配列と接続態様とを示す図である。
【図１２】第３変形例に係る複数の太陽電池セルの電気的な接続態様を示す図である。
【図１３】第４変形例に係る複数の太陽電池セルの配列と接続態様とを示す図である。
【図１４】第４変形例に係る複数の太陽電池セルの電気的な接続態様を示す図である。
【図１５】バイパスダイオードが設けられた太陽電池パネルを例示する図である。
【図１６】バイパスダイオードが設けられた太陽電池パネルを例示する図である。
【発明を実施するための形態】
【００１１】
以下、本発明の実施形態を図面に基づいて説明する。なお、図面においては同様な構成および機能を有する部分については同一符号が付されており、下記説明では重複説明が省略される。また、図面は模式的に示されたものであり、各図における各種構造のサイズおよび位置関係等は正確に図示されたものではない。
【００１２】
なお、図１〜図３，図５，図６，図８，図１０，図１１および図１３には、太陽電池セル４の一配列方向（図１の図面視左右方向）をＸ軸方向とする右手系のＸＹＺ座標系が付されている。また、図１〜図３，図５，図６，図８，図１０，図１１および図１３では、各行を成す複数の太陽電池セル４が、Ｘ方向に沿って直線状に配され、各列を成す複数の太陽電池セル４が、Ｙ方向に沿って直線状に配されている。そして、図３〜図１４では、行列状に配されている複数の太陽電池セル４のうち、左下の太陽電池セル４が１行目における１列目の太陽電池セル４とされ、該太陽電池セル４に符号４11が付され、ｙ行目のｘ列目の太陽電池セル４に符号４yxが付されている。ｘおよびｙは自然数を示す。
【００１３】
＜(１)太陽電池モジュールの概略構成＞
図１および図２で示されるように、一実施形態に係る太陽電池モジュール１は、基板２と、充填材３ａと、複数の接続部としての接続導体５によって電気的に接続されている複数の太陽電池セル４と、充填材３ｂと、裏面シート６との積層体を備えている。また、太陽電池モジュール１は、積層体の裏面に設けられた端子ボックス９０を備えている。図１では、積層体の裏面に設けられた端子ボックス９０が、便宜的に積層体の右方に描かれている。なお、太陽電池モジュール１には、上記積層体を保護すべく、該積層体の周囲にフレーム部７が設けられても良い。
【００１４】
複数の太陽電池セル４は、第１方向としてのＸ方向と、第２方向としてのＹ方向とに沿って、行列状に配されている。本実施形態では、第１方向と第２方向とが略直交している。なお、第１方向と第２方向とが成す角度は、例えば、９０±３０°程度の範囲内に設定されることが許容され得る。
【００１５】
基板２は、透光性を有し、太陽電池セル４を保護する。該基板２の材料としては、例えば、白板強化ガラス等の各種ガラスおよびポリカーボネート樹脂等が採用され得る。充填材３ａ，３ｂは、太陽電池セル４を覆っている。該充填材３ａ，３ｂとしては、例えば、エチレンビニルアセテートおよびポリビニルブチラール等の樹脂が主成分とされ、押出し機によって０．４〜１ｍｍ程度の厚さを有するシート状に成形された後に所望の大きさに切断されたもの等が挙げられる。裏面シート６は、充填材３ｂおよび太陽電池セル４を保護する。該裏面シート６の材料としては、例えば、フッ化ビニル、ポリエチレンテレフタレートおよびポリエチレンナフタレート等の樹脂が採用され得る。
【００１６】
接続導体５は、導電性を有し、例えば、銅箔等の配線材の表面に対してメッキ等によって半田が被覆されたものであれば良い。そして、接続導体５は、例えば、スポット溶接等によって、太陽電池セル４の主面上に設けられている第１電極および第２電極に対して固着される。例えば、第１電極は、太陽電池セル４の一主面である表面に配され、第２電極は、太陽電池セル４の他主面である裏面に配されている。ここでは、例えば、第１電極が正極であれば、第２電極が負極であり、第１電極が負極であれば、第２電極は正極である。なお、第１電極および第２電極は、例えば、バスバー電極であれば良い。
【００１７】
各接続導体５は、２以上の太陽電池セル４の主面上に設けられている電極間を電気的に接続している。例えば、２つの太陽電池セル４のうち、一方の太陽電池セル４の第１電極と他方の太陽電池セル４の第１電極とが電気的に接続され、一方の太陽電池セル４の第２電極と他方の太陽電池セル４の第２電極とが電気的に接続される。これにより、該２つの太陽電池セル４は電気的に並列に接続される。また、例えば、２つの太陽電池セル４のうち、一方の太陽電池セル４の第１電極と他方の太陽電池セル４の第２電極とが電気的に接続される。これにより、該２つの太陽電池セル４は電気的に直列に接続される。
【００１８】
また、行列状に配されている複数の太陽電池セル４のうちの一端部に配されている６つの太陽電池セル４に電気的に接続されている３つの接続導体５が、裏面シート６の貫通孔９１ｃ，９１ｂ，９１ｃを介して、端子ボックス９０に電気的に接続されている。
【００１９】
端子ボックス９０は、３つの端子９３ａ，９３ｂ，９３ｃと２つのバイパスダイオード８１ａ，８１ｂとを備えている。端子９３ａは、配線９２ａによって、貫通孔９１ａを介して１つの接続導体５に電気的に接続されている。端子９３ｂは、配線９２ｂによって、貫通孔９１ｂを介して１つの接続導体５に電気的に接続されている。端子９３ｃは、配線９２ｃによって、貫通孔９１ｃを介して１つの接続導体５に電気的に接続されている。端子９３ａと端子９３ｂとが、バイパスダイオード８１ａを介して電気的に接続されている。端子９３ｂと端子９３ｃとが、バイパスダイオード８１ｂを介して電気的に接続されている。端子９３ａには、端子ボックス９０の外部に引き出されているケーブル９４Ａが電気的に接続されている。端子９３ｃには、端子ボックス９０の外部に引き出されているケーブル９４Ｂが電気的に接続されている。太陽電池モジュール１では、ケーブル９４Ａ，９４Ｂによって、太陽光の受光に応じた発電によって生じる電流と電圧とが得られる。
【００２０】
次に、太陽電池モジュール１に含まれている複数の太陽電池セル４の配列状態と、該複数の太陽電池セル４の電気的な接続の態様について説明する。
【００２１】
＜(２)複数の太陽電池セルの配列状態と接続態様＞
図３には、太陽電池モジュール１に含まれている複数の太陽電池セル４の配列状態と、接続導体５による該複数の太陽電池セル４の電気的な接続の態様が示されている。
【００２２】
図３で示されるように、ここでは、８行×９列の合計７２個の太陽電池セル４が配されている具体例を挙げて説明する。図３では、各行を成す９つの太陽電池セル４が、Ｘ方向に沿って直線状に配されている。また、各列を成す８つの太陽電池セル４が、Ｙ方向に沿って直線状に配されている。
【００２３】
太陽電池モジュール１では、ｘ番目（ｘは１〜９の整数）の列において、１行目の太陽電池セル４1xと３行目の太陽電池セル４3xとが電気的に並列に接続され、２行目の太陽電池セル４2xと４行目の太陽電池セル４4xとが電気的に並列に接続されている。また、ｘ番目の列において、５行目の太陽電池セル４5xと７行目の太陽電池セル４7xとが電気的に並列に接続され、６行目の太陽電池セル４6xと８行目の太陽電池セル４6xとが電気的に並列に接続されている。
【００２４】
例えば、１列目において、１行目の太陽電池セル４11と３行目の太陽電池セル４31とが電気的に並列に接続され、２行目の太陽電池セル４21と４行目の太陽電池セル４41とが電気的に並列に接続されている。また、１列目において、５行目の太陽電池セル４51と７行目の太陽電池セル４71とが電気的に並列に接続され、６行目の太陽電池セル４61と８行目の太陽電池セル４81とが電気的に並列に接続されている。
【００２５】
また、各行において直線状に配されている９つの太陽電池セル４が電気的に直列に接続されている。具体的には、１行目の９つの太陽電池セル４11〜４19が電気的に直列に接続され、３行目の９つの太陽電池セル４31〜４39が電気的に直列に接続されている。また、２行目の９つの太陽電池セル４21〜４29が電気的に直列に接続され、４行目の９つの太陽電池セル４41〜４49が電気的に直列に接続されている。また、５行目の９つの太陽電池セル４51〜４59が電気的に直列に接続され、７行目の９つの太陽電池セル４71〜４79が電気的に直列に接続されている。また、６行目の９つの太陽電池セル４61〜４69が電気的に直列に接続され、８行目の９つの太陽電池セル４81〜４89が電気的に直列に接続されている。
【００２６】
図４には、太陽電池モジュール１における複数の太陽電池セル４の電気的な接続態様が示されている。
【００２７】
図４で示されているように、例えば、複数の太陽電池セル４は、第１〜４セル配列ユニットＵ１〜Ｕ４に分類され得る。各セル配列ユニットＵ１〜Ｕ４は、第１所定数の太陽電池セル４を含む。ここでは、第１所定数は１８である。
【００２８】
第１セル配列ユニットＵ１は、第１〜９太陽電池セル群（以下、セル群と略称する）Ｇ11〜Ｇ19を含む。ここで、第ｘセル群Ｇ1x（ｘは１〜９の整数）は、１行目におけるｘ列目の第１太陽電池セルとしての太陽電池セル４1xと、該太陽電池セル４1xと電気的に並列に接続されている３行目におけるｘ列目の第２太陽電池セルとしての太陽電池セル４3xとを含む。例えば、第１セル群Ｇ11は、１行目における１列目の太陽電池セル４11と、該太陽電池セル４11と電気的に並列に接続されている３行目における１列目の太陽電池セル４31とを含む。また、第１〜９セル群Ｇ11〜Ｇ19は、この順番で電気的に直列に接続されている。
【００２９】
第２セル配列ユニットＵ２は、第１〜９セル群Ｇ21〜Ｇ29を含む。ここで、第ｘセル群Ｇ2x（ｘは１〜９の整数）は、２行目におけるｘ列目の第１太陽電池セルとしての太陽電池セル４2xと、該太陽電池セル４2xと電気的に並列に接続されている４行目におけるｘ列目の第２太陽電池セルとしての太陽電池セル４4xとを含む。例えば、第１セル群Ｇ21は、２行目における１列目の太陽電池セル４21と、該太陽電池セル４21と電気的に並列に接続されている４行目における１列目の太陽電池セル４41とを含む。また、第１〜９セル群Ｇ21〜Ｇ29は、この順番で電気的に直列に接続されている。
【００３０】
第３セル配列ユニットＵ３は、第１〜９セル群Ｇ31〜Ｇ39を含む。ここで、第ｘセル群Ｇ3x（ｘは１〜９の整数）は、５行目におけるｘ列目の第１太陽電池セルとしての太陽電池セル４5xと、該太陽電池セル４5xと電気的に並列に接続されている７行目におけるｘ列目の第２太陽電池セルとしての太陽電池セル４7xとを含む。例えば、第１セル群Ｇ31は、５行目における１列目の太陽電池セル４51と、該太陽電池セル４51と電気的に並列に接続されている７行目における１列目の太陽電池セル４71とを含む。また、第１〜９セル群Ｇ31〜Ｇ39は、この順番で電気的に直列に接続されている。
【００３１】
第４セル配列ユニットＵ４は、第１〜９セル群Ｇ41〜Ｇ49を含む。ここで、第ｘセル群Ｇ4x（ｘは１〜９の整数）は、６行目におけるｘ列目の第１太陽電池セルとしての太陽電池セル４6xと、該太陽電池セル４6xと電気的に並列に接続されている８行目におけるｘ列目の第２太陽電池セルとしての太陽電池セル４8xとを含む。例えば、第１セル群Ｇ41は、６行目における１列目の太陽電池セル４61と、該太陽電池セル４61と電気的に並列に接続されている８行目における１列目の太陽電池セル４81とを含む。また、第１〜９セル群Ｇ41〜Ｇ49は、この順番で電気的に直列に接続されている。
【００３２】
更に、第１〜４セル配列ユニットＵ１〜Ｕ４は、この順番で電気的に直列に接続されている。
【００３３】
具体的には、図１で示された端子ボックス９０の端子９３ａと、第１セル配列ユニットＵ１の一端部に配されている第９セル群Ｇ19とが電気的に接続されている。第１セル配列ユニットＵ１の他端部に配されている第１セル群Ｇ11と、第２セル配列ユニットＵ２の一端部に配されている第１セル群Ｇ21とが電気的に接続されている。第２セル配列ユニットＵ２の他端部に配されている第９セル群Ｇ29と、第３セル配列ユニットＵ３の一端部に配されている第９セル群Ｇ39とが電気的に接続されている。第３セル配列ユニットＵ３の他端部に配されている第１セル群Ｇ31と、第４セル配列ユニットＵ４の一端部に配されている第１セル群Ｇ41とが電気的に接続されている。第４セル配列ユニットＵ４の他端部に配されている第９セル群Ｇ49と、図１で示された端子ボックス９０の端子９３ｃとが電気的に接続されている。
【００３４】
また、第２セル配列ユニットＵ２の他端部に配されている第９セル群Ｇ29と、第３セル配列ユニットＵ３の一端部に配されている第９セル群Ｇ39とが、図１で示された端子ボックス９０の端子９３ｂに電気的に接続されている。
【００３５】
つまり、第１セル配列ユニットＵ１の第９セル群Ｇ19と、第２セル配列ユニットＵ２の第９セル群Ｇ29および第３セル配列ユニットＵ３の第９セル群Ｇ39とが、バイパスダイオード８１ａを介して電気的に接続されている。また、第２セル配列ユニットＵ２の第９セル群Ｇ29および第３セル配列ユニットＵ３の第９セル群Ｇ39と、第４セル配列ユニットＵ４の第９セル群Ｇ49とがバイパスダイオード８１ｂを介して電気的に接続されている。
【００３６】
本実施形態に係る太陽電池モジュール１では、複数の太陽電池セル４の上記接続態様により、各セル群Ｇnx（ｎは１〜４の整数、ｘは１〜９の整数）において、次の構成が実現されている。第１太陽電池セルとしての一太陽電池セル４は、太陽電池モジュール１に配されている該一太陽電池セル４を中心とする３行３列の９つの太陽電池セル４における該一太陽電池セル４を囲む８つの太陽電池セル４には電気的に並列に接続されていない。第２太陽電池セルとしての一太陽電池セル４は、太陽電池モジュール１に配されている該一太陽電池セル４を中心とする３行３列の９つの太陽電池セル４における該一太陽電池セル４を囲む８つの太陽電池セル４には電気的に並列に接続されていない。第１太陽電池セルとしての一太陽電池セル４と、第２太陽電池セルとしての一太陽電池セル４とは、太陽電池モジュール１に配されている残余の太陽電池セル群に含まれる１つの太陽電池セル４を挟んで並列に接続されている。
【００３７】
また、別の観点から言えば、各セル群Ｇnxにおいて、次の構成が実現されている。第１太陽電池セルとしての一太陽電池セル４は、太陽電池モジュール１に行列状に配されている複数の太陽電池セル４のうちの該一太陽電池セル４が配されている一行と隣接する他の行の何れの太陽電池セル４とも電気的に並列に接続されていない。第１太陽電池セルとしての一太陽電池セル４は、太陽電池モジュール１に行列状に配されている複数の太陽電池セル４のうちの該一太陽電池セル４が配されている一列と隣接する他の列の何れの太陽電池セル４とも電気的に並列に接続されていない。第２太陽電池セルとしての一太陽電池セル４は、太陽電池モジュール１に行列状に配されている複数の太陽電池セル４のうちの該一太陽電池セル４が配されている一行と隣接する他の行の何れの太陽電池セル４とも電気的に並列に接続されていない。また、第２太陽電池セルとしての一太陽電池セル４は、太陽電池モジュール１に行列状に配されている複数の太陽電池セル４のうちの該一太陽電池セル４が配されている一列と隣接する他の列の何れの太陽電池セル４とも電気的に並列に接続されていない。
【００３８】
更に、別の観点から言えば、各セル群Ｇnxにおいて、次の構成が実現されている。第１太陽電池セルとしての一太陽電池セル４は、太陽電池モジュール１に行列状に配されている複数の太陽電池セル４のうちの他の太陽電池セル４を挟まずに該一太陽電池セル４と隣接する他の太陽電池セル４には、電気的に並列に接続されていない。第２太陽電池セルとしての一太陽電池セル４は、太陽電池モジュール１に行列状に配されている複数の太陽電池セル４のうちの他の太陽電池セル４を挟まずに該一太陽電池セル４と隣接する他の太陽電池セル４には、電気的に並列に接続されていない。
【００３９】
なお、太陽電池モジュール１において、行列状に配されている複数の太陽電池セル４が上記態様で電気的に接続される場合、複数の接続導体５の接触によって短絡が生じないように、例えば、２以上の接続導体５どうしが絶縁体を介して重なり合う。例えば、各接続導体５が太陽電池セル４に接続される前に、各接続導体５のうちの太陽電池セル４と接続される部分の表面に半田が被覆され、残余の部分の表面に樹脂が被覆されていれば良い。
【００４０】
＜(３)太陽電池モジュールにおける発電＞
太陽電池モジュール１では、行列状に配されている複数の太陽電池セル４で太陽光が受光される場合、該複数の太陽電池セル４で生じる電流、および電気的に直列に接続されているセル群Ｇ1x〜Ｇ4x（ｘは１〜９の整数）の数に応じた電圧が得られる。
【００４１】
そして、上述されたように、太陽電池モジュール１では、各セル群Ｇnx（ｎは１〜４の整数、ｘは１〜９の整数）において、他のセル群の太陽電池セル４を挟んで２つの太陽電池セル４が電気的に並列に接続されている。
【００４２】
このため、例えば、図５で示されるように、２行２列の太陽電池セル４71，４72，４81，４82が障害物の影に入って太陽光を受光することができなくても、各セル群Ｇ1x〜Ｇ4x（ｘは１〜９の整数）では、少なくとも一方の太陽電池セル４が太陽光を受光し得る。更に、行列状に配されている複数の太陽電池セル４のうちの隣接する任意の２行の全ての太陽電池セル４が障害物の影に入ったとしても、各セル群Ｇ1x〜Ｇ4x（ｘは１〜９の整数）では、少なくとも一方の太陽電池セル４が太陽光を受光し得る。この場合、太陽電池モジュール１では、太陽光を受光することができない太陽電池セル４の数に応じて出力電流量が若干低下するものの、出力電圧は低下しない。
【００４３】
したがって、太陽電池モジュール１は、図１６で示された太陽電池パネル１０１と比較して、障害物の影による影響を受け難い。すなわち、本実施形態に係る太陽電池モジュール１では、出力および変換効率が低下し難い。
【００４４】
また、太陽電池モジュール１では、各セル群Ｇnx（ｎは１〜４の整数、ｘは１〜９の整数）に含まれる太陽電池セル４の数の増大を招くことなく、電気的に並列に接続されている太陽電池セル４どうしの離隔距離が大きい。このため、太陽電池モジュール１では、出力電圧が確保され得るとともに、各セル群Ｇnxにおいて電気的に並列に接続されている２つの太陽電池セル４が障害物の影となって出力が著しく減少する不具合が生じ難い。
【００４５】
なお、第１および第２セル配列ユニットＵ１，Ｕ２において、セル群Ｇ11〜Ｇ19，Ｇ21〜Ｇ29のうちの１以上のセル群で、２つの太陽電池セル４の両方が障害物の影に入って太陽光を受光することができない場合、バイパスダイオード８１ａに電流が流れ得る。このとき、第１および第２セル配列ユニットＵ１，Ｕ２において、内部抵抗の上昇によって電圧の降下が生じるため、バイパスダイオード８１ａに電流が流れ得る。
【００４６】
また、第３および第４セル配列ユニットＵ３，Ｕ４において、セル群Ｇ31〜Ｇ39，Ｇ41〜Ｇ49のうちの１以上のセル群で、２つの太陽電池セル４の両方が障害物の影に入って太陽光を受光することができない場合、バイパスダイオード８１ｂに電流が流れ得る。このとき、第３および第４セル配列ユニットＵ３，Ｕ４において、内部抵抗の上昇によって電圧の降下が生じるため、バイパスダイオード８１ｂに電流が流れ得る。
【００４７】
＜(４)変形例＞
本発明は上記一実施形態に限定されるものではなく、本発明の要旨を逸脱しない範囲において種々の変更、改良等が可能である。
【００４８】
例えば、複数の太陽電池セル４の配列状態と、該複数の太陽電池セル４の電気的な接続態様とについては、種々の変形例が採用され得る。以下、第１〜４変形例について説明する。
【００４９】
＜(４−１)第１変形例＞
図６および図７で示されるように、第１変形例に係る太陽電池モジュール１Ａでは、第ｎセル配列ユニットＵｎＡ（ｎは１〜４の整数）において、第１〜９セル群Ｇn1A〜Ｇn9Aが、直線状に配されておらず、この順番でジグザグに配されている。
【００５０】
第１変形例に係る太陽電池モジュール１Ａは、上記一実施形態に係る太陽電池モジュール１がベースとされて、第１〜４セル配列ユニットＵ１〜Ｕ４が、第１〜４セル配列ユニットＵ１Ａ〜Ｕ４Ａに置換されたものである。各セル配列ユニットＵ１Ａ〜Ｕ４Ａは、第１所定数の太陽電池セル４を含む。ここでは、第１所定数は１８である。
【００５１】
第１セル配列ユニットＵ１Ａは、第１〜９セル群Ｇ11A〜Ｇ19Aを含む。奇数番目の第ｘセル群Ｇ1xA（ｘは１〜９の奇数）は、１行目におけるｘ列目の第１太陽電池セルとしての太陽電池セル４1xと、該太陽電池セル４1xと電気的に並列に接続されている３行目におけるｘ列目の第２太陽電池セルとしての太陽電池セル４3xとを含む。偶数番目の第ｘセル群Ｇ1xA（ｘは１〜９の偶数）は、２行目におけるｘ列目の第１太陽電池セルとしての太陽電池セル４2xと、該太陽電池セル４2xと電気的に並列に接続されている４行目におけるｘ列目の第２太陽電池セルとしての太陽電池セル４4xとを含む。また、第１〜９セル群Ｇ11A〜Ｇ19Aは、この順番で電気的に直列に接続されている。つまり、第１〜９セル群Ｇ11A〜Ｇ19Aは、＋Ｘ方向に直線状に配されておらず、この順番でジグザグに配されている。
【００５２】
第２セル配列ユニットＵ２Ａは、第１〜９セル群Ｇ21A〜Ｇ29Aを含む。奇数番目の第ｘセル群Ｇ2xA（ｘは１〜９の奇数）は、２行目におけるｘ列目の第１太陽電池セルとしての太陽電池セル４2xと、該太陽電池セル４2xと電気的に並列に接続されている４行目におけるｘ列目の第２太陽電池セルとしての太陽電池セル４4xとを含む。偶数番目の第ｘセル群Ｇ2xA（ｘは１〜９の偶数）は、１行目におけるｘ列目の第１太陽電池セルとしての太陽電池セル４1xと、該太陽電池セル４1xと電気的に並列に接続されている３行目におけるｘ列目の第２太陽電池セルとしての太陽電池セル４3xとを含む。また、第１〜９セル群Ｇ21A〜Ｇ29Aは、この順番で電気的に直列に接続されている。つまり、第１〜９セル群Ｇ21A〜Ｇ29Aは、＋Ｘ方向に直線状に配されておらず、この順番でジグザグに配されている。
【００５３】
第３セル配列ユニットＵ３Ａは、第１〜９セル群Ｇ31A〜Ｇ39Aを含む。奇数番目の第ｘセル群Ｇ3xA（ｘは１〜９の奇数）は、５行目におけるｘ列目の第１太陽電池セルとしての太陽電池セル４5xと、該太陽電池セル４5xと電気的に並列に接続されている７行目におけるｘ列目の第２太陽電池セルとしての太陽電池セル４7xとを含む。偶数番目の第ｘセル群Ｇ3xA（ｘは１〜９の偶数）は、６行目におけるｘ列目の第１太陽電池セルとしての太陽電池セル４6xと、該太陽電池セル４6xと電気的に並列に接続されている８行目におけるｘ列目の第２太陽電池セルとしての太陽電池セル４8xとを含む。また、第１〜９セル群Ｇ31A〜Ｇ39Aは、この順番で電気的に直列に接続されている。つまり、第１〜９セル群Ｇ31A〜Ｇ39Aは、＋Ｘ方向に直線状に配されておらず、この順番でジグザグに配されている。
【００５４】
第４セル配列ユニットＵ４Ａは、第１〜９セル群Ｇ41A〜Ｇ49Aを含む。奇数番目の第ｘセル群Ｇ4xA（ｘは１〜９の奇数）は、６行目におけるｘ列目の第１太陽電池セルとしての太陽電池セル４6xと、該太陽電池セル４6xと電気的に並列に接続されている８行目におけるｘ列目の第２太陽電池セルとしての太陽電池セル４8xとを含む。偶数番目の第ｘセル群Ｇ4xA（ｘは１〜９の偶数）は、５行目におけるｘ列目の第１太陽電池セルとしての太陽電池セル４5xと、該太陽電池セル４5xと電気的に並列に接続されている７行目におけるｘ列目の第２太陽電池セルとしての太陽電池セル４7xとを含む。また、第１〜９セル群Ｇ41A〜Ｇ49Aは、この順番で電気的に直列に接続されている。つまり、第１〜９セル群Ｇ41A〜Ｇ49Aは、＋Ｘ方向に直線状に配されておらず、この順番でジグザグに配されている。
【００５５】
第１変形例に係る太陽電池モジュール１Ａでは、複数の太陽電池セル４の上記接続態様により、各セル群ＧnxA（ｎは１〜４の整数、ｘは１〜９の整数）において、次の構成が実現されている。第１太陽電池セルとしての一太陽電池セル４は、太陽電池モジュール１Ａに配されている該一太陽電池セル４を中心とする３行３列の９つの太陽電池セル４における該一太陽電池セル４を囲む８つの太陽電池セル４には電気的に並列に接続されていない。第２太陽電池セルとしての一太陽電池セル４は、太陽電池モジュール１Ａに配されている該一太陽電池セル４を中心とする３行３列の９つの太陽電池セル４における該一太陽電池セル４を囲む８つの太陽電池セル４には電気的に並列に接続されていない。第１太陽電池セルとしての一太陽電池セル４と、第２太陽電池セルとしての一太陽電池セル４とは、太陽電池モジュール１Ａに配されている残余の太陽電池セル群に含まれる１つの太陽電池セル４を挟んで並列に接続されている。
【００５６】
すなわち、第１変形例に係る太陽電池モジュール１Ａでは、各セル群ＧnxA（ｎは１〜４の整数、ｘは１〜９の整数）において、他のセル群の太陽電池セル４を挟んで２つの太陽電池セル４が電気的に並列に接続されている。これにより、行列状に配列されている複数の太陽電池セル４のうちの隣接する任意の２行の全ての太陽電池セル４が障害物に入ったとしても、各セル群ＧnxAにおいて少なくとも一方の太陽電池セル４が太陽光を受光し得る。この場合、太陽電池モジュール１Ａでは、太陽光を受光することができない太陽電池セル４の数に応じて出力電流量が若干低下するものの、出力電圧は低下しない。
【００５７】
したがって、第１変形例に係る太陽電池モジュール１Ａは、上記太陽電池モジュール１と同様に、図１６で示された太陽電池パネル１０１と比較して、障害物の影による影響を受け難い。すなわち、第１変形例に係る太陽電池モジュール１Ａでは、出力および変換効率が低下し難い。
【００５８】
＜(４−２)第２変形例＞
図８および図９で示されるように、第２変形例に係る太陽電池モジュール１Ｂでは、各セル群Ｇnx（ｎは１〜１２の整数、ｘは１〜９の整数）において、他のセル群の２つの太陽電池セル４を挟んで２つの太陽電池セル４が電気的に並列に接続されている。ここでは、２４行×９列の合計２１６個の太陽電池セル４が配されている例を挙げて説明する。
【００５９】
例えば、複数の太陽電池セル４は、図９で示されるように、第１〜１２セル配列ユニットＵ１Ｂ〜Ｕ１２Ｂに分類され得る。各セル配列ユニットＵ１Ｂ〜Ｕ１２Ｂは、第１所定数の太陽電池セル４を含む。ここでは、第１所定数は１８である。
【００６０】
第１セル配列ユニットＵ１Ｂは、第１〜９セル群Ｇ11B〜Ｇ19Bを含む。第ｘセル群Ｇ1xB（ｘは１〜９の整数）は、１行目におけるｘ列目の第１太陽電池セルとしての太陽電池セル４1xと、該太陽電池セル４1xと電気的に並列に接続されている第２太陽電池セルとしての４行目におけるｘ列目の太陽電池セル４4xとを含む。また、第１〜９セル群Ｇ11B〜Ｇ19Bは、この順番で電気的に直列に接続されている。
【００６１】
第２セル配列ユニットＵ２Ｂは、第１〜９セル群Ｇ21B〜Ｇ29Bを含む。第ｘセル群Ｇ2xB（ｘは１〜９の整数）は、２行目におけるｘ列目の第１太陽電池セルとしての太陽電池セル４2xと、該太陽電池セル４2xと電気的に並列に接続されている第２太陽電池セルとしての５行目におけるｘ列目の太陽電池セル４5xとを含む。また、第１〜９セル群Ｇ21B〜Ｇ29Bは、この順番で電気的に直列に接続されている。
【００６２】
第３セル配列ユニットＵ３Ｂは、第１〜９セル群Ｇ31B〜Ｇ39Bを含む。第ｘセル群Ｇ3xB（ｘは１〜９の整数）は、３行目におけるｘ列目の第１太陽電池セルとしての太陽電池セル４3xと、該太陽電池セル４3xと電気的に並列に接続されている第２太陽電池セルとしての６行目におけるｘ列目の太陽電池セル４6xとを含む。また、第１〜９セル群Ｇ31B〜Ｇ39Bは、この順番で電気的に直列に接続されている。
【００６３】
第４セル配列ユニットＵ４Ｂは、第１〜９セル群Ｇ41B〜Ｇ49Bを含む。第ｘセル群Ｇ4xB（ｘは１〜９の整数）は、７行目におけるｘ列目の第１太陽電池セルとしての太陽電池セル４7xと、該太陽電池セル４7xと電気的に並列に接続されている第２太陽電池セルとしての１０行目におけるｘ列目の太陽電池セル４10xとを含む。また、第１〜９セル群Ｇ41B〜Ｇ49Bは、この順番で電気的に直列に接続されている。
【００６４】
第５セル配列ユニットＵ５Ｂは、第１〜９セル群Ｇ51B〜Ｇ59Bを含む。第ｘセル群Ｇ5xB（ｘは１〜９の整数）は、８行目におけるｘ列目の第１太陽電池セルとしての太陽電池セル４8xと、該太陽電池セル４8xと電気的に並列に接続されている第２太陽電池セルとしての１１行目におけるｘ列目の太陽電池セル４11xとを含む。また、第１〜９セル群Ｇ51B〜Ｇ59Bは、この順番で電気的に直列に接続されている。
【００６５】
第６セル配列ユニットＵ６Ｂは、第１〜９セル群Ｇ61B〜Ｇ69Bを含む。第ｘセル群Ｇ6xB（ｘは１〜９の整数）は、９行目におけるｘ列目の第１太陽電池セルとしての太陽電池セル４9xと、該太陽電池セル４9xと電気的に並列に接続されている第２太陽電池セルとしての１２行目におけるｘ列目の太陽電池セル４12xとを含む。また、第１〜９セル群Ｇ61B〜Ｇ69Bは、この順番で電気的に直列に接続されている。
【００６６】
第７セル配列ユニットＵ７Ｂは、第１〜９セル群Ｇ71B〜Ｇ79Bを含む。第ｘセル群Ｇ7xB（ｘは１〜９の整数）は、１３行目におけるｘ列目の第１太陽電池セルとしての太陽電池セル４13xと、該太陽電池セル４13xと電気的に並列に接続されている第２太陽電池セルとしての１６行目におけるｘ列目の太陽電池セル４16xとを含む。また、第１〜９セル群Ｇ71B〜Ｇ79Bは、この順番で電気的に直列に接続されている。
【００６７】
第８セル配列ユニットＵ８Ｂは、第１〜９セル群Ｇ81B〜Ｇ89Bを含む。第ｘセル群Ｇ8xB（ｘは１〜９の整数）は、１４行目におけるｘ列目の第１太陽電池セルとしての太陽電池セル４14xと、該太陽電池セル４14xと電気的に並列に接続されている第２太陽電池セルとしての１７行目におけるｘ列目の太陽電池セル４17xとを含む。また、第１〜９セル群Ｇ81B〜Ｇ89Bは、この順番で電気的に直列に接続されている。
【００６８】
第９セル配列ユニットＵ９Ｂは、第１〜９セル群Ｇ91B〜Ｇ99Bを含む。第ｘセル群Ｇ9xB（ｘは１〜９の整数）は、１５行目におけるｘ列目の第１太陽電池セルとしての太陽電池セル４15xと、該太陽電池セル４15xと電気的に並列に接続されている第２太陽電池セルとしての１８行目におけるｘ列目の太陽電池セル４18xとを含む。また、第１〜９セル群Ｇ91B〜Ｇ99Bは、この順番で電気的に直列に接続されている。
【００６９】
第１０セル配列ユニットＵ１０Ｂは、第１〜９セル群Ｇ101B〜Ｇ109Bを含む。第ｘセル群Ｇ10xB（ｘは１〜９の整数）は、１９行目におけるｘ列目の第１太陽電池セルとしての太陽電池セル４19xと、該太陽電池セル４19xと電気的に並列に接続されている第２太陽電池セルとしての２２行目におけるｘ列目の太陽電池セル４22xとを含む。また、第１〜９セル群Ｇ101B〜Ｇ109Bは、この順番で電気的に直列に接続されている。
【００７０】
第１１セル配列ユニットＵ１１Ｂは、第１〜９セル群Ｇ111B〜Ｇ119Bを含む。第ｘセル群Ｇ11xB（ｘは１〜９の整数）は、２０行目におけるｘ列目の第１太陽電池セルとしての太陽電池セル４20xと、該太陽電池セル４20xと電気的に並列に接続されている第２太陽電池セルとしての２３行目におけるｘ列目の太陽電池セル４23xとを含む。また、第１〜９セル群Ｇ111B〜Ｇ119Bは、この順番で電気的に直列に接続されている。
【００７１】
第１２セル配列ユニットＵ１２Ｂは、第１〜９セル群Ｇ121B〜Ｇ129Bを含む。第ｘセル群Ｇ12xB（ｘは１〜９の整数）は、２１行目におけるｘ列目の第１太陽電池セルとしての太陽電池セル４21xと、該太陽電池セル４21xと電気的に並列に接続されている第２太陽電池セルとしての２４行目におけるｘ列目の太陽電池セル４24xとを含む。また、第１〜９セル群Ｇ121B〜Ｇ129Bは、この順番で電気的に直列に接続されている。
【００７２】
また、第１〜１２セル配列ユニットＵ１Ｂ〜Ｕ１２Ｂは、次のように電気的に直列に接続されている。第１セル配列ユニットＵ１Ｂ、第４セル配列ユニットＵ４Ｂ、第２セル配列ユニットＵ２Ｂおよび第３セル配列ユニットＵ３Ｂは、この順番で電気的に直列に接続されている。第３セル配列ユニットＵ３Ｂと第５セル配列ユニットＵ５Ｂとが電気的に直列に接続されている。第５セル配列ユニットＵ５Ｂ、第８セル配列ユニットＵ８Ｂ、第６セル配列ユニットＵ６Ｂおよび第７セル配列ユニットＵ７Ｂは、この順番で電気的に直列に接続されている。第７セル配列ユニットＵ７Ｂと第９セル配列ユニットＵ９Ｂとが電気的に直列に接続されている。第９セル配列ユニットＵ９Ｂ、第１２セル配列ユニットＵ１２Ｂ、第１０セル配列ユニットＵ１０Ｂおよび第１１セル配列ユニットＵ１１Ｂは、この順番で電気的に直列に接続されている。
【００７３】
具体的には、太陽電池モジュール１Ｂの一の端子と、第１セル配列ユニットＵ１Ｂの一端部に配されている第９セル群Ｇ19Bとが電気的に接続されている。第１セル配列ユニットＵ１Ｂの他端部に配されている第１セル群Ｇ11Bと、第４セル配列ユニットＵ４Ｂの一端部に配されている第１セル群Ｇ41Bとが電気的に接続されている。第４セル配列ユニットＵ４Ｂの他端部に配されている第９セル群Ｇ49Bと、第２セル配列ユニットＵ２Ｂの一端部に配されている第９セル群Ｇ29Bとが電気的に接続されている。第２セル配列ユニットＵ２Ｂの他端部に配されている第１セル群Ｇ21Bと、第３セル配列ユニットＵ３Ｂの一端部に配されている第１セル群Ｇ31Bとが電気的に接続されている。
【００７４】
また、第３セル配列ユニットＵ３Ｂの他端部に配されている第９セル群Ｇ39Bと、第５セル配列ユニットＵ５Ｂの一端部に配されている第９セル群Ｇ59Bとが電気的に接続されている。第５セル配列ユニットＵ５Ｂの他端部に配されている第１セル群Ｇ51Bと、第８セル配列ユニットＵ８Ｂの一端部に配されている第１セル群Ｇ81Bとが電気的に接続されている。第８セル配列ユニットＵ８Ｂの他端部に配されている第９セル群Ｇ89Bと、第６セル配列ユニットＵ６Ｂの一端部に配されている第９セル群Ｇ69Bとが電気的に接続されている。第６セル配列ユニットＵ６Ｂの他端部に配されている第１セル群Ｇ61Bと、第７セル配列ユニットＵ７Ｂの一端部に配されている第１セル群Ｇ71Bとが電気的に接続されている。
【００７５】
また、第７セル配列ユニットＵ７Ｂの他端部に配されている第９セル群Ｇ79Bと、第９セル配列ユニットＵ９Ｂの一端部に配されている第９セル群Ｇ99Bとが電気的に接続されている。第９セル配列ユニットＵ９Ｂの他端部に配されている第１セル群Ｇ91Bと、第１２セル配列ユニットＵ１２Ｂの一端部に配されている第１セル群Ｇ121Bとが電気的に接続されている。第１２セル配列ユニットＵ１２Ｂの他端部に配されている第９セル群Ｇ129Bと、第１０セル配列ユニットＵ１０Ｂの一端部に配されている第９セル群Ｇ109Bとが電気的に接続されている。第１０セル配列ユニットＵ１０Ｂの他端部に配されている第１セル群Ｇ101Bと、第１１セル配列ユニットＵ１１Ｂの一端部に配されている第１セル群Ｇ111Bとが電気的に接続されている。更に、第１１セル配列ユニットＵ１１Ｂの他端部に配されている第９セル群Ｇ119Bと、太陽電池モジュール１Ｂの他の端子とが電気的に接続されている。
【００７６】
また、第１セル配列ユニットＵ１Ｂの第９セル群Ｇ19Bと、第２セル配列ユニットＵ２Ｂの第９セル群Ｇ29Bおよび第４セル配列ユニットＵ４Ｂの第９セル群Ｇ49Bとが、バイパスダイオード８１ａを介して電気的に接続されている。第２セル配列ユニットＵ２Ｂの第９セル群Ｇ29Bと、第３セル配列ユニットＵ３Ｂの第９セル群Ｇ39Bおよび第５セル配列ユニットＵ５Ｂの第９セル群Ｇ59Bとがバイパスダイオード８１ｂを介して電気的に接続されている。第５セル配列ユニットＵ５Ｂの第９セル群Ｇ59Bと、第６セル配列ユニットＵ６Ｂの第９セル群Ｇ69Bおよび第８セル配列ユニットＵ８Ｂの第９セル群Ｇ89Bとが、バイパスダイオード８１ｃを介して電気的に接続されている。第６セル配列ユニットＵ６Ｂの第９セル群Ｇ69Bと、第７セル配列ユニットＵ７Ｂの第９セル群Ｇ79Bおよび第９セル配列ユニットＵ９Ｂの第９セル群Ｇ99Bとがバイパスダイオード８１ｄを介して電気的に接続されている。第９セル配列ユニットＵ９Ｂの第９セル群Ｇ99Bと、第１０セル配列ユニットＵ１０Ｂの第９セル群Ｇ109Bおよび第１２セル配列ユニットＵ１２Ｂの第９セル群Ｇ129Bとが、バイパスダイオード８１ｅを介して電気的に接続されている。第１０セル配列ユニットＵ１０Ｂの第９セル群Ｇ109Bと、第１１セル配列ユニットＵ１１Ｂの第９セル群Ｇ119Bとが、バイパスダイオード８１ｆを介して電気的に接続されている。
【００７７】
第２変形例に係る太陽電池モジュール１Ｂでは、複数の太陽電池セル４の上記接続態様により、各セル群Ｇnx（ｎは１〜１２の整数、ｘは１〜９の整数）において、次の構成が実現されている。第１太陽電池セルとしての一太陽電池セル４は、太陽電池モジュール１Ｂに配されている該一太陽電池セル４を中心とする３行３列の９つの太陽電池セル４における該一太陽電池セル４を囲む８つの太陽電池セル４には電気的に並列に接続されていない。第２太陽電池セルとしての一太陽電池セル４は、太陽電池モジュール１Ｂに配されている該一太陽電池セル４を中心とする３行３列の９つの太陽電池セル４における該一太陽電池セル４を囲む８つの太陽電池セル４には電気的に並列に接続されていない。第１太陽電池セルとしての一太陽電池セル４と、第２太陽電池セルとしての一太陽電池セル４とは、太陽電池モジュール１Ｂに配されている残余の太陽電池セル群に含まれる２つの太陽電池セル４を挟んで並列に接続されている。
【００７８】
太陽電池モジュール１Ｂでは、行列状に配されている複数の太陽電池セル４で太陽光が受光される場合、該複数の太陽電池セル４で生じる電流、および電気的に直列に接続されているセル群Ｇ1x〜Ｇ12x（ｘは１〜９の整数）の数に応じた電圧が得られる。
【００７９】
そして、上述したように、太陽電池モジュール１Ｂでは、各セル群Ｇnx（ｎは１〜１２の整数、ｘは１〜９の整数）において、他のセル群の２つの太陽電池セル４を挟んで２つの太陽電池セル４が電気的に並列に接続されている。
【００８０】
このため、例えば、図１０で示されるように、３行３列の太陽電池セル４221，４222，４223，４231，４232，４233，４241，４242，４243が障害物の影に入って太陽光を受光することができない場合を想定する。この場合、各セル群Ｇ1x〜Ｇ12x（ｘは１〜９の整数）において、少なくとも一方の太陽電池セル４が太陽光を受光し得る。なお、行列状に配列される複数の太陽電池セル４のうちの隣接する任意の３行の全ての太陽電池セル４が障害物の影に入ったとしても、各セル群Ｇ1x〜Ｇ12x（ｘは１〜９の整数）において、少なくとも一方の太陽電池セル４が太陽光を受光し得る。この場合、太陽電池モジュール１では、太陽光を受光することができない太陽電池セル４の数に応じて出力電流量が若干低下するものの、出力電圧は低下しない。
【００８１】
したがって、太陽電池モジュール１Ｂは、図１６で示された太陽電池パネル１０１と比較して、障害物の影による影響を受け難い。すなわち、第２変形例に係る太陽電池モジュール１Ｂでは、出力および変換効率が低下し難い。
【００８２】
また、太陽電池モジュール１Ｂでは、各セル群Ｇnx（ｎは１〜１２の整数、ｘは１〜９の整数）に含まれる太陽電池セル４の数が２つであるが、電気的に並列に接続されている太陽電池セル４どうしの離隔距離が大きい。このため、出力電圧の低下を極力避けつつ、各セル群Ｇnxにおいて、電気的に並列に接続されている全ての太陽電池セル４が障害物の影となって出力が著しく減少する事態を生じ難くすることができる。
【００８３】
なお、第１および第４セル配列ユニットＵ１Ｂ，Ｕ４Ｂにおいて、セル群Ｇ11〜Ｇ19，Ｇ41〜Ｇ49のうちの１以上のセル群で、２つの太陽電池セル４の両方が障害物の影に入って太陽光を受光することができない場合、バイパスダイオード８１ａに電流が流れ得る。このとき、第１および第４セル配列ユニットＵ１Ｂ，Ｕ４Ｂにおいて、内部抵抗の上昇によって電圧の降下が生じるため、バイパスダイオード８１ａに電流が流れ得る。
【００８４】
第２および第３セル配列ユニットＵ２Ｂ，Ｕ３Ｂにおいて、セル群Ｇ21〜Ｇ29，Ｇ31〜Ｇ39のうちの１以上のセル群で、２つの太陽電池セル４の両方が障害物の影に入って太陽光を受光することができない場合、バイパスダイオード８１ｂに電流が流れ得る。このとき、第２および第３セル配列ユニットＵ２Ｂ，Ｕ３Ｂにおいて、内部抵抗の上昇によって電圧の降下が生じるため、バイパスダイオード８１ｂに電流が流れ得る。
【００８５】
第５および第８セル配列ユニットＵ５Ｂ，Ｕ８Ｂにおいて、セル群Ｇ51〜Ｇ59，Ｇ81〜Ｇ89のうちの１以上のセル群で、２つの太陽電池セル４の両方が障害物の影に入って太陽光を受光することができない場合、バイパスダイオード８１ｃに電流が流れ得る。このとき、第５および第８セル配列ユニットＵ５Ｂ，Ｕ８Ｂにおいて、内部抵抗の上昇によって電圧の降下が生じるため、バイパスダイオード８１ｃに電流が流れ得る。
【００８６】
第６および第７セル配列ユニットＵ６Ｂ，Ｕ７Ｂにおいて、セル群Ｇ61〜Ｇ69，Ｇ71〜Ｇ79のうちの１以上のセル群で、２つの太陽電池セル４の両方が障害物の影に入って太陽光を受光することができない場合、バイパスダイオード８１ｄに電流が流れ得る。このとき、第６および第７セル配列ユニットＵ６Ｂ，Ｕ７Ｂにおいて、内部抵抗の上昇によって電圧の降下が生じるため、バイパスダイオード８１ｄに電流が流れ得る。
【００８７】
第９および第１２セル配列ユニットＵ９Ｂ，Ｕ１２Ｂにおいて、セル群Ｇ91〜Ｇ99，Ｇ121〜Ｇ129のうちの１以上のセル群で、２つの太陽電池セル４の両方が障害物の影に入って太陽光を受光することができない場合、バイパスダイオード８１ｅに電流が流れ得る。このとき、第９および第１２セル配列ユニットＵ９Ｂ，Ｕ１２Ｂにおいて、内部抵抗の上昇によって電圧の降下が生じるため、バイパスダイオード８１ｅに電流が流れ得る。
【００８８】
第１０および第１１セル配列ユニットＵ１０Ｂ，Ｕ１１Ｂにおいて、セル群Ｇ101〜Ｇ109，Ｇ111〜Ｇ119のうちの１以上のセル群で、２つの太陽電池セル４の両方が障害物の影に入って太陽光を受光することができない場合、バイパスダイオード８１ｆに電流が流れ得る。このとき、第１０および第１１セル配列ユニットＵ１０Ｂ，Ｕ１１Ｂにおいて、内部抵抗の上昇によって電圧の降下が生じるため、バイパスダイオード８１ｆに電流が流れ得る。
【００８９】
＜(４−３)第３変形例＞
図１１および図１２で示されるように、第３変形例に係る太陽電池モジュール１Ｃでは、第ｎセル配列ユニットＵｎＣ（ｎは１〜１２の整数）において、第１〜９セル群Ｇn1C〜Ｇn9Cが、＋Ｘ方向に直線状に配されておらず、この順番でジグザグに配されている。
【００９０】
第３変形例に係る太陽電池モジュール１Ｃは、上記第２変形例に係る太陽電池モジュール１Ｂがベースとされて、第１〜１２セル配列ユニットＵ１Ｂ〜Ｕ１２Ｂが、第１〜１２セル配列ユニットＵ１Ｃ〜Ｕ１２Ｃに置換されたものである。
【００９１】
第１セル配列ユニットＵ１Ｃは、第１〜９セル群Ｇ11C〜Ｇ19Cを含む。第ｘセル群Ｇ1xC（ｘは３，６，９）は、１行目におけるｘ列目の第１太陽電池セルとしての太陽電池セル４1xと、該太陽電池セル４1xと電気的に並列に接続されている４行目におけるｘ列目の第２太陽電池セルとしての太陽電池セル４4xとを含む。第ｘセル群Ｇ1xC（ｘは２，５，８）は、２行目におけるｘ列目の第１太陽電池セルとしての太陽電池セル４2xと、該太陽電池セル４2xと電気的に並列に接続されている５行目におけるｘ列目の第２太陽電池セルとしての太陽電池セル４5xとを含む。第ｘセル群Ｇ1xC（ｘは１，４，７）は、３行目におけるｘ列目の第１太陽電池セルとしての太陽電池セル４3xと、該太陽電池セル４3xと電気的に並列に接続されている６行目におけるｘ列目の第２太陽電池セルとしての太陽電池セル４6xとを含む。そして、第１〜９セル群Ｇ11C〜Ｇ19Cは、この順番で電気的に直列に接続されている。つまり、図１２で示されるように、第１セル配列ユニットＵ１Ｃの第１〜９セル群Ｇ11C〜Ｇ19Cは、＋Ｘ方向に直線状に配されておらず、この順番でジグザグに配されている。
【００９２】
第２セル配列ユニットＵ２Ｃは、第１〜９セル群Ｇ21C〜Ｇ29Cを含む。第ｘセル群Ｇ2xC（ｘは３，６，９）は、２行目におけるｘ列目の第１太陽電池セルとしての太陽電池セル４2xと、該太陽電池セル４2xと電気的に並列に接続されている５行目におけるｘ列目の第２太陽電池セルとしての太陽電池セル４5xとを含む。第ｘセル群Ｇ2xC（ｘは２，５，８）は、３行目におけるｘ列目の第１太陽電池セルとしての太陽電池セル４3xと、該太陽電池セル４3xと電気的に並列に接続されている６行目におけるｘ列目の第２太陽電池セルとしての太陽電池セル４6xとを含む。第ｘセル群Ｇ2xC（ｘは１，４，７）は、１行目におけるｘ列目の第１太陽電池セルとしての太陽電池セル４1xと、該太陽電池セル４1xと電気的に並列に接続されている４行目におけるｘ列目の第２太陽電池セルとしての太陽電池セル４4xとを含む。そして、第１〜９セル群Ｇ21C〜Ｇ29Cは、この順番で電気的に直列に接続されている。つまり、図１２で示されるように、第２セル配列ユニットＵ２Ｃの第１〜９セル群Ｇ21C〜Ｇ29Cは、＋Ｘ方向に直線状に配されておらず、この順番でジグザグに配されている。
【００９３】
第３セル配列ユニットＵ３Ｃは、第１〜９セル群Ｇ31C〜Ｇ39Cを含む。第ｘセル群Ｇ3xC（ｘは３，６，９）は、３行目におけるｘ列目の第１太陽電池セルとしての太陽電池セル４3xと、該太陽電池セル４3xと電気的に並列に接続されている６行目におけるｘ列目の第２太陽電池セルとしての太陽電池セル４6xとを含む。第ｘセル群Ｇ3xC（ｘは２，５，８）は、１行目におけるｘ列目の第１太陽電池セルとしての太陽電池セル４1xと、該太陽電池セル４1xと電気的に並列に接続されている４行目におけるｘ列目の第２太陽電池セルとしての太陽電池セル４4xとを含む。第ｘセル群Ｇ3xC（ｘは１，４，７）は、２行目におけるｘ列目の第１太陽電池セルとしての太陽電池セル４2xと、該太陽電池セル４2xと電気的に並列に接続されている５行目におけるｘ列目の第２太陽電池セルとしての太陽電池セル４5xとを含む。そして、第１〜９セル群Ｇ31C〜Ｇ39Cは、この順番で電気的に直列に接続されている。つまり、図１２で示されるように、第３セル配列ユニットＵ３Ｃの第１〜９セル群Ｇ31C〜Ｇ39Cは、＋Ｘ方向に直線状に配されておらず、この順番でジグザグに配されている。
【００９４】
第４セル配列ユニットＵ４Ｃは、第１〜９セル群Ｇ41C〜Ｇ49Cを含む。第ｘセル群Ｇ4xC（ｘは３，６，９）は、７行目におけるｘ列目の第１太陽電池セルとしての太陽電池セル４7xと、該太陽電池セル４7xと電気的に並列に接続されている１０行目におけるｘ列目の第２太陽電池セルとしての太陽電池セル４10xとを含む。第ｘセル群Ｇ4xC（ｘは２，５，８）は、８行目におけるｘ列目の第１太陽電池セルとしての太陽電池セル４8xと、該太陽電池セル４8xと電気的に並列に接続されている１１行目におけるｘ列目の第２太陽電池セルとしての太陽電池セル４11xとを含む。第ｘセル群Ｇ4xC（ｘは１，４，７）は、９行目におけるｘ列目の第１太陽電池セルとしての太陽電池セル４9xと、該太陽電池セル４9xと電気的に並列に接続されている１２行目におけるｘ列目の第２太陽電池セルとしての太陽電池セル４12xとを含む。そして、第１〜９セル群Ｇ41C〜Ｇ49Cは、この順番で電気的に直列に接続されている。つまり、図１２で示されるように、第４セル配列ユニットＵ４Ｃの第１〜９セル群Ｇ41C〜Ｇ49Cは、＋Ｘ方向に直線状に配されておらず、この順番でジグザグに配されている。
【００９５】
第５セル配列ユニットＵ５Ｃは、第１〜９セル群Ｇ51C〜Ｇ59Cを含む。第ｘセル群Ｇ5xC（ｘは３，６，９）は、８行目におけるｘ列目の第１太陽電池セルとしての太陽電池セル４8xと、該太陽電池セル４8xと電気的に並列に接続されている１１行目におけるｘ列目の第２太陽電池セルとしての太陽電池セル４11xとを含む。第ｘセル群Ｇ5xC（ｘは２，５，８）は、９行目におけるｘ列目の第１太陽電池セルとしての太陽電池セル４9xと、該太陽電池セル４9xと電気的に並列に接続されている１２行目におけるｘ列目の第２太陽電池セルとしての太陽電池セル４12xとを含む。第ｘセル群Ｇ5xC（ｘは１，４，７）は、７行目におけるｘ列目の第１太陽電池セルとしての太陽電池セル４7xと、該太陽電池セル４7xと電気的に並列に接続されている１０行目におけるｘ列目の第２太陽電池セルとしての太陽電池セル４10xとを含む。そして、第１〜９セル群Ｇ51C〜Ｇ59Cは、この順番で電気的に直列に接続されている。つまり、図１２で示されるように、第５セル配列ユニットＵ５Ｃの第１〜９セル群Ｇ51C〜Ｇ59Cは、＋Ｘ方向に直線状に配されておらず、この順番でジグザグに配されている。
【００９６】
第６セル配列ユニットＵ６Ｃは、第１〜９セル群Ｇ61C〜Ｇ69Cを含む。第ｘセル群Ｇ6xC（ｘは３，６，９）は、９行目におけるｘ列目の第１太陽電池セルとしての太陽電池セル４9xと、該太陽電池セル４9xと電気的に並列に接続されている１２行目におけるｘ列目の第２太陽電池セルとしての太陽電池セル４12xとを含む。第ｘセル群Ｇ6xC（ｘは２，５，８）は、７行目におけるｘ列目の第１太陽電池セルとしての太陽電池セル４7xと、該太陽電池セル４7xと電気的に並列に接続されている１０行目におけるｘ列目の第２太陽電池セルとしての太陽電池セル４10xとを含む。第ｘセル群Ｇ6xC（ｘは１，４，７）は、８行目におけるｘ列目の第１太陽電池セルとしての太陽電池セル４8xと、該太陽電池セル４8xと電気的に並列に接続されている１１行目におけるｘ列目の第２太陽電池セルとしての太陽電池セル４11xとを含む。そして、第１〜９セル群Ｇ61C〜Ｇ69Cは、この順番で電気的に直列に接続されている。つまり、図１２で示されるように、第６セル配列ユニットＵ６Ｃの第１〜９セル群Ｇ61C〜Ｇ69Cは、＋Ｘ方向に直線状に配されておらず、この順番でジグザグに配されている。
【００９７】
第７セル配列ユニットＵ７Ｃは、第１〜９セル群Ｇ71C〜Ｇ79Cを含む。第ｘセル群Ｇ7xC（ｘは３，６，９）は、１３行目におけるｘ列目の第１太陽電池セルとしての太陽電池セル４13xと、該太陽電池セル４13xと電気的に並列に接続されている１６行目におけるｘ列目の第２太陽電池セルとしての太陽電池セル４16xとを含む。第ｘセル群Ｇ7xC（ｘは２，５，８）は、１４行目におけるｘ列目の第１太陽電池セルとしての太陽電池セル４14xと、該太陽電池セル４14xと電気的に並列に接続されている１７行目におけるｘ列目の第２太陽電池セルとしての太陽電池セル４17xとを含む。第ｘセル群Ｇ7xC（ｘは１，４，７）は、１５行目におけるｘ列目の第１太陽電池セルとしての太陽電池セル４15xと、該太陽電池セル４15xと電気的に並列に接続されている１８行目におけるｘ列目の第２太陽電池セルとしての太陽電池セル４18xとを含む。そして、第１〜９セル群Ｇ71C〜Ｇ79Cは、この順番で電気的に直列に接続されている。つまり、図１２で示されるように、第７セル配列ユニットＵ７Ｃの第１〜９セル群Ｇ71C〜Ｇ79Cは、＋Ｘ方向に直線状に配されておらず、この順番でジグザグに配されている。
【００９８】
第８セル配列ユニットＵ８Ｃは、第１〜９セル群Ｇ81C〜Ｇ89Cを含む。第ｘセル群Ｇ8xC（ｘは３，６，９）は、１４行目におけるｘ列目の第１太陽電池セルとしての太陽電池セル４14xと、該太陽電池セル４14xと電気的に並列に接続されている１７行目におけるｘ列目の第２太陽電池セルとしての太陽電池セル４17xとを含む。第ｘセル群Ｇ8xC（ｘは２，５，８）は、１５行目におけるｘ列目の第１太陽電池セルとしての太陽電池セル４15xと、該太陽電池セル４15xと電気的に並列に接続されている１８行目におけるｘ列目の第２太陽電池セルとしての太陽電池セル４18xとを含む。第ｘセル群Ｇ8xC（ｘは１，４，７）は、１３行目におけるｘ列目の第１太陽電池セルとしての太陽電池セル４13xと、該太陽電池セル４13xと電気的に並列に接続されている１６行目におけるｘ列目の第２太陽電池セルとしての太陽電池セル４16xとを含む。そして、第１〜９セル群Ｇ81C〜Ｇ89Cは、この順番で電気的に直列に接続されている。つまり、図１２で示されるように、第８セル配列ユニットＵ８Ｃの第１〜９セル群Ｇ81C〜Ｇ89Cは、＋Ｘ方向に直線状に配されておらず、この順番でジグザグに配されている。
【００９９】
第９セル配列ユニットＵ９Ｃは、第１〜９セル群Ｇ91C〜Ｇ99Cを含む。第ｘセル群Ｇ9xC（ｘは３，６，９）は、１５行目におけるｘ列目の第１太陽電池セルとしての太陽電池セル４15xと、該太陽電池セル４15xと電気的に並列に接続されている１８行目におけるｘ列目の第２太陽電池セルとしての太陽電池セル４18xとを含む。第ｘセル群Ｇ9xC（ｘは２，５，８）は、１３行目におけるｘ列目の第１太陽電池セルとしての太陽電池セル４13xと、該太陽電池セル４13xと電気的に並列に接続されている１６行目におけるｘ列目の第２太陽電池セルとしての太陽電池セル４16xとを含む。第ｘセル群Ｇ9xC（ｘは１，４，７）は、１４行目におけるｘ列目の第１太陽電池セルとしての太陽電池セル４14xと、該太陽電池セル４14xと電気的に並列に接続されている１７行目におけるｘ列目の第２太陽電池セルとしての太陽電池セル４17xとを含む。そして、第１〜９セル群Ｇ91C〜Ｇ99Cは、この順番で電気的に直列に接続されている。つまり、図１２で示されるように、第９セル配列ユニットＵ９Ｃの第１〜９セル群Ｇ91C〜Ｇ99Cは、＋Ｘ方向に直線状に配されておらず、この順番でジグザグに配されている。
【０１００】
第１０セル配列ユニットＵ１０Ｃは、第１〜９セル群Ｇ101C〜Ｇ109Cを含む。第ｘセル群Ｇ10xC（ｘは３，６，９）は、１９行目におけるｘ列目の第１太陽電池セルとしての太陽電池セル４19xと、該太陽電池セル４19xと電気的に並列に接続されている２２行目におけるｘ列目の第２太陽電池セルとしての太陽電池セル４22xとを含む。第ｘセル群Ｇ10xC（ｘは２，５，８）は、２０行目におけるｘ列目の第１太陽電池セルとしての太陽電池セル４20xと、該太陽電池セル４20xと電気的に並列に接続されている２３行目におけるｘ列目の第２太陽電池セルとしての太陽電池セル４23xとを含む。第ｘセル群Ｇ10xC（ｘは１，４，７）は、２１行目におけるｘ列目の第１太陽電池セルとしての太陽電池セル４21xと、該太陽電池セル４21xと電気的に並列に接続されている２４行目におけるｘ列目の第２太陽電池セルとしての太陽電池セル４24xとを含む。そして、第１〜９セル群Ｇ101C〜Ｇ109Cは、この順番で電気的に直列に接続されている。つまり、図１２で示されるように、第１０セル配列ユニットＵ１０Ｃの第１〜９セル群Ｇ101C〜Ｇ109Cは、＋Ｘ方向に直線状に配されておらず、この順番でジグザグに配されている。
【０１０１】
第１１セル配列ユニットＵ１１Ｃは、第１〜９セル群Ｇ111C〜Ｇ119Cを含む。第ｘセル群Ｇ11xC（ｘは３，６，９）は、２０行目におけるｘ列目の第１太陽電池セルとしての太陽電池セル４20xと、該太陽電池セル４20xと電気的に並列に接続されている２３行目におけるｘ列目の第２太陽電池セルとしての太陽電池セル４23xとを含む。第ｘセル群Ｇ11xC（ｘは２，５，８）は、２１行目におけるｘ列目の第１太陽電池セルとしての太陽電池セル４21xと、該太陽電池セル４21xと電気的に並列に接続されている２４行目におけるｘ列目の第２太陽電池セルとしての太陽電池セル４24xとを含む。第ｘセル群Ｇ11xC（ｘは１，４，７）は、１９行目におけるｘ列目の第１太陽電池セルとしての太陽電池セル４19xと、該太陽電池セル４19xと電気的に並列に接続されている２２行目におけるｘ列目の第２太陽電池セルとしての太陽電池セル４22xとを含む。そして、第１〜９セル群Ｇ111C〜Ｇ119Cは、この順番で電気的に直列に接続されている。つまり、図１２で示されるように、第１１セル配列ユニットＵ１１Ｃの第１〜９セル群Ｇ111C〜Ｇ119Cは、＋Ｘ方向に直線状に配されておらず、この順番でジグザグに配されている。
【０１０２】
第１２セル配列ユニットＵ１２Ｃは、第１〜９セル群Ｇ121C〜Ｇ129Cを含む。第ｘセル群Ｇ12xC（ｘは３，６，９）は、２１行目におけるｘ列目の第１太陽電池セルとしての太陽電池セル４21xと、該太陽電池セル４21xと電気的に並列に接続されている２４行目におけるｘ列目の第２太陽電池セルとしての太陽電池セル４24xとを含む。第ｘセル群Ｇ12xC（ｘは２，５，８）は、１９行目におけるｘ列目の第１太陽電池セルとしての太陽電池セル４19xと、該太陽電池セル４19xと電気的に並列に接続されている２２行目におけるｘ列目の第２太陽電池セルとしての太陽電池セル４22xとを含む。第ｘセル群Ｇ12xC（ｘは１，４，７）は、２０行目におけるｘ列目の第１太陽電池セルとしての太陽電池セル４20xと、該太陽電池セル４20xと電気的に並列に接続されている２３行目におけるｘ列目の第２太陽電池セルとしての太陽電池セル４23xとを含む。そして、第１〜９セル群Ｇ121C〜Ｇ129Cは、この順番で電気的に直列に接続されている。つまり、図１２で示されるように、第１２セル配列ユニットＵ１２Ｃの第１〜９セル群Ｇ121C〜Ｇ129Cは、＋Ｘ方向に直線状に配されておらず、この順番でジグザグに配されている。
【０１０３】
第３変形例に係る太陽電池モジュール１Ｃでは、複数の太陽電池セル４の上記接続態様により、各セル群ＧnxA（ｎは１〜１２の整数、ｘは１〜９の整数）において、次の構成が実現されている。第１太陽電池セルとしての一太陽電池セル４は、太陽電池モジュール１Ｃに配されている該一太陽電池セル４を中心とする３行３列の９つの太陽電池セル４における該一太陽電池セル４を囲む８つの太陽電池セル４には電気的に並列に接続されていない。第２太陽電池セルとしての一太陽電池セル４は、太陽電池モジュール１Ｃに配されている該一太陽電池セル４を中心とする３行３列の９つの太陽電池セル４における該一太陽電池セル４を囲む８つの太陽電池セル４には電気的に並列に接続されていない。第１太陽電池セルとしての一太陽電池セル４と、第２太陽電池セルとしての一太陽電池セル４とは、太陽電池モジュール１Ｃに配されている残余の太陽電池セル群に含まれる２つの太陽電池セル４を挟んで並列に接続されている。
【０１０４】
すなわち、第３変形例に係る太陽電池モジュール１Ｃでは、各セル群ＧnxC（ｎは１〜１２の整数、ｘは１〜９の整数）において、他のセル群の２つの太陽電池セル４を挟んで２つの太陽電池セル４が電気的に並列に接続されている。これにより、行列状に配列されている複数の太陽電池セル４のうちの隣接する任意の３行の全ての太陽電池セル４が障害物に入ったとしても、各セル群ＧnxCにおいて、少なくとも一方の太陽電池セル４が太陽光を受光し得る。この場合、太陽電池モジュール１Ｃでは、太陽光を受光することができない太陽電池セル４の数に応じて出力電流量が若干低下するものの、出力電圧は低下しない。
【０１０５】
したがって、第３変形例に係る太陽電池モジュール１Ｃは、上記太陽電池モジュール１と同様に、図１６で示された太陽電池パネル１０１と比較して、障害物の影による影響を受け難い。すなわち、第３変形例に係る太陽電池モジュール１Ｃでは、出力および変換効率が低下し難い。
【０１０６】
＜(４−４)第４変形例＞
図１３および図１４で示されるように、第４変形例に係る太陽電池モジュール１Ｄは、上記第３変形例に係る太陽電池モジュール１Ｃがベースとされて、第１〜１２セル配列ユニットＵ１Ｃ〜Ｕ１２Ｃの接続態様が変更されたものである。これは、第４変形例に係る太陽電池モジュール１Ｄは、バイパスダイオードの接続態様が上記第３変形例に係る太陽電池モジュール１Ｃと異なっているからである。
【０１０７】
第１〜１２セル配列ユニットＵ１Ｃ〜Ｕ１２Ｃは、次のように電気的に直列に接続されている。
【０１０８】
第１セル配列ユニットＵ１Ｃ、第４セル配列ユニットＵ４Ｃ、第３セル配列ユニットＵ３Ｃ、および第２セル配列ユニットＵ２Ｃは、この順番で電気的に直列に接続されている。第２セル配列ユニットＵ２Ｃと、第５セル配列ユニットＵ５Ｃとが電気的に直列に接続されている。第５セル配列ユニットＵ５Ｃ、第８セル配列ユニットＵ８Ｃ、第７セル配列ユニットＵ７Ｃ、および第６セル配列ユニットＵ６Ｃは、この順番で電気的に直列に接続されている。第６セル配列ユニットＵ６Ｃと、第９セル配列ユニットＵ９Ｃとが電気的に直列に接続されている。第９セル配列ユニットＵ９Ｃ、第１２セル配列ユニットＵ１２Ｃ、第１１セル配列ユニットＵ１１Ｃ、および第１０セル配列ユニットＵ１０Ｃは、この順番で電気的に直列に接続されている。
【０１０９】
具体的には、太陽電池モジュール１Ｃの一の端子と、第１セル配列ユニットＵ１Ｃの一端部に配されている第９セル群Ｇ19Cとが電気的に接続されている。第１セル配列ユニットＵ１Ｃの他端部に配されている第１セル群Ｇ11Cと、第４セル配列ユニットＵ４Ｃの一端部に配されている第１セル群Ｇ41Cとが電気的に接続されている。第４セル配列ユニットＵ４Ｃの他端部に配されている第９セル群Ｇ49Cと、第３セル配列ユニットＵ３Ｃの一端部に配されている第９セル群Ｇ39Cとが電気的に接続されている。第３セル配列ユニットＵ３Ｃの他端部に配されている第１セル群Ｇ31Cと、第２セル配列ユニットＵ２Ｃの一端部に配されている第１セル群Ｇ21Cとが電気的に接続されている。
【０１１０】
また、第２セル配列ユニットＵ２Ｃの他端部に配されている第９セル群Ｇ29Cと、第５セル配列ユニットＵ５Ｃの一端部に配されている第９セル群Ｇ59Cとが電気的に接続されている。第５セル配列ユニットＵ５Ｃの他端部に配されている第１セル群Ｇ51Cと、第８セル配列ユニットＵ８Ｃの一端部に配されている第１セル群Ｇ81Cとが電気的に接続されている。第８セル配列ユニットＵ８Ｃの他端部に配されている第９セル群Ｇ89Cと、第７セル配列ユニットＵ７Ｃの一端部に配されている第９セル群Ｇ79Cとが電気的に接続されている。第７セル配列ユニットＵ７Ｃの他端部に配されている第１セル群Ｇ71Cと、第６セル配列ユニットＵ６Ｃの一端部に配されている第１セル群Ｇ61Cとが電気的に接続されている。
【０１１１】
また、第６セル配列ユニットＵ６Ｃの他端部に配されている第９セル群Ｇ69Cと、第９セル配列ユニットＵ９Ｃの一端部に配されている第９セル群Ｇ99Cとが電気的に接続されている。第９セル配列ユニットＵ９Ｃの他端部に配されている第１セル群Ｇ91Cと、第１２セル配列ユニットＵ１２Ｃの一端部に配されている第１セル群Ｇ121Cとが電気的に接続されている。第１２セル配列ユニットＵ１２Ｃの他端部に配されている第９セル群Ｇ129Cと、第１１セル配列ユニットＵ１１Ｃの一端部に配されている第９セル群Ｇ119Cとが電気的に接続されている。第１１セル配列ユニットＵ１１Ｃの他端部に配されている第１セル群Ｇ111Cと、第１０セル配列ユニットＵ１０Ｃの一端部に配されている第１セル群Ｇ101Cとが電気的に接続されている。更に、第１０セル配列ユニットＵ１０Ｃの他端部に配されている第９セル群Ｇ109Cと、太陽電池モジュール１Ｃの他の端子とが電気的に接続されている。
【０１１２】
また、第１セル配列ユニットＵ１Ｃの第９セル群Ｇ19Cと、第３セル配列ユニットＵ３Ｃの第９セル群Ｇ39Cおよび第４セル配列ユニットＵ４Ｃの第９セル群Ｇ49Cとが、バイパスダイオード８１ａを介して電気的に接続されている。第４セル配列ユニットＵ４Ｃの第９セル群Ｇ49Cおよび第３セル配列ユニットＵ３Ｃの第９セル群Ｇ39Cと、第２セル配列ユニットＵ２Ｃの第９セル群Ｇ29Cおよび第５セル配列ユニットＵ５Ｃの第９セル群Ｇ59Cとがバイパスダイオード８１ｂを介して電気的に接続されている。
【０１１３】
第５セル配列ユニットＵ５Ｃの第９セル群Ｇ59Cと、第７セル配列ユニットＵ７Ｃの第９セル群Ｇ79Cおよび第８セル配列ユニットＵ８Ｃの第９セル群Ｇ89Cとが、バイパスダイオード８１ｃを介して電気的に接続されている。第８セル配列ユニットＵ８Ｃの第９セル群Ｇ89Cおよび第７セル配列ユニットＵ７Ｃの第９セル群Ｇ79Cと、第６セル配列ユニットＵ６Ｃの第９セル群Ｇ69Cおよび第９セル配列ユニットＵ９Ｃの第９セル群Ｇ99Cとがバイパスダイオード８１ｄを介して電気的に接続されている。
【０１１４】
第９セル配列ユニットＵ９Ｃの第９セル群Ｇ99Cと、第１１セル配列ユニットＵ１１Ｃの第９セル群Ｇ119Cおよび第１２セル配列ユニットＵ１２Ｃの第９セル群Ｇ129Cとが、バイパスダイオード８１ｅを介して電気的に接続されている。第１２セル配列ユニットＵ１２Ｃの第９セル群Ｇ129Cおよび第１１セル配列ユニットＵ１１Ｃの第９セル群Ｇ119Cと、第１０セル配列ユニットＵ１０Ｃの第９セル群Ｇ109Cとがバイパスダイオード８１ｆを介して電気的に接続されている。
【０１１５】
第４変形例に係る太陽電池モジュール１Ｄでは、上記太陽電池モジュール１Ｃと同様に、各セル群ＧnxC（ｎは１〜１２の整数、ｘは１〜９の整数）において、他のセル群の２つの太陽電池セル４を挟んで２つの太陽電池セル４が電気的に並列に接続されている。これにより、行列状に配列される複数の太陽電池セル４のうちの隣接する任意の３行の全ての太陽電池セル４が障害物に入ったとしても、各セル群ＧnxCにおいて、少なくとも一方の太陽電池セル４が太陽光を受光し得る。この場合、太陽電池モジュール１Ｄでは、太陽光を受光することができない太陽電池セル４の数に応じて出力電流量が若干低下するものの、出力電圧は低下しない。
【０１１６】
したがって、第４変形例に係る太陽電池モジュール１Ｄは、上記太陽電池モジュール１Ｃと同様に、図１６で示された太陽電池パネル１０１と比較して、障害物の影による影響を受け難い。すなわち、第４変形例に係る太陽電池モジュール１Ｄでは、出力および変換効率が低下し難い。
【０１１７】
＜(４−５)その他の変形例＞
上記一実施形態および第１〜４変形例では、複数の太陽電池セル４が、略長方形の領域に行列状に配されていたが、これに限られない。例えば、複数の太陽電池セル４のうちの少なくとも一部の太陽電池セル４が行列状に配されていれば良い。つまり、複数の太陽電池セル４のうちの１以上の太陽電池セル４が、略長方形の領域から外れた位置に配されていても良い。また、複数の太陽電池セル４のうちの１以上の太陽電池セル４が、行列状の配列と整合しない位置に配されていても良い。
【０１１８】
上記一実施形態および第１変形例では、８行×９列の合計７２個の太陽電池セル４が配されていたが、これに限られない。例えば、複数の太陽電池セル４の行数は、４行以上の偶数行であれば良く、列数は、３列以上であれば良い。
【０１１９】
上記一実施形態および第１〜４変形例に係る太陽電池モジュール１，１Ａ〜１Ｄでは、例えば、仮にバイパスダイオード８１ａ〜８１ｆが省略されても、障害物の影による影響を受け難く、いわゆるホットスポット現象によって不具合が生じる可能性が低い。
【０１２０】
上記一実施形態および第１〜４変形例では、第１太陽電池セルと第２太陽電池セルとが入れ換えられても構わない。
【０１２１】
上記一実施形態および第１〜４変形例では、同じ列に配されている第１太陽電池セルと第２太陽電池セルとが電気的に並列に接続されていたが、これに限られない。例えば、異なる列に配されている第１太陽電池セルと第２太陽電池セルとが電気的に並列に接続されても良い。
【０１２２】
また、上記一実施形態および第１〜４変形例では、各セル群が、行列状に配されている複数の太陽電池セル４のうち、電気的に並列に接続されている３以上の太陽電池セル４を含んでいても良い。但し、各セル群が、行列状に配されている複数の太陽電池セル４のうち、電気的に並列に接続されている２つの太陽電池セル４のみを含んでいれば、太陽電池モジュールの出力電圧の低下が生じ難い。そして、複数のセル群のうちの少なくとも１以上のセル群が、行列状に配されている複数の太陽電池セル４のうちの第１太陽電池セルと第２太陽電池セルの２つの太陽電池セルのみを含んでいれば、出力電圧が低下し難い。その結果、出力および変換効率が低下し難い太陽電池モジュールが実現され得る。
【０１２３】
また、上記一実施形態および第１変形例では、各セル群Ｇnx（ｎは１〜４の整数、ｘは１〜９の整数）において、第１太陽電池セルと第２太陽電池セルとが、他のセル群の１つの太陽電池セル４を挟んで電気的に並列に接続されていた。また、上記第２〜４変形例では、各セル群Ｇnx（ｎは１〜１２の整数、ｘは１〜９の整数）において、第１太陽電池セルと第２太陽電池セルとが、他のセル群の２つの太陽電池セル４を挟んで電気的に並列に接続されていた。しかしながら、各セル群における第１太陽電池セルと第２太陽電池セルとの接続態様は、これに限られない。例えば、各セル群において、第１太陽電池セルと第２太陽電池セルとが、他のセル群の３つの太陽電池セル４を挟んで電気的に並列に接続されていても良い。つまり、各セル群において、第１太陽電池セルと第２太陽電池セルとが、他のセル群の１以上の太陽電池セル４を挟んで電気的に並列に接続されていれば良い。
【０１２４】
そして、例えば、各セル群において、第１太陽電池セルと第２太陽電池セルとが、他のセル群の２以上の太陽電池セル４を挟んで電気的に並列に接続されていれば、１つのセル群に含まれる全ての太陽電池セルが障害物の影に入る状態が生じ難い。その結果、出力および変換効率が更に低下し難い。
【０１２５】
なお、上記一実施形態および各種変形例をそれぞれ構成する全部または一部を、適宜、矛盾しない範囲で組み合わせ可能であることは、言うまでもない。
【符号の説明】
【０１２６】
１，１Ａ〜１Ｄ，１０１  太陽電池モジュール
２  基板
３ａ，３ｂ  充填材
４，４11〜４19，４21〜４29，４31〜４39，４41〜４49，４51〜４59，４61〜４69，４71〜４79，４81〜４89，４91〜４99，４101〜４109，４111〜４119，４121〜４129，４131〜４139，４141〜４149，４151〜４159，４161〜４169，４171〜４179，４181〜４189，４191〜４199，４201〜４209，４211〜４219，４221〜４229，４231〜４239，４241〜４249，１０４  太陽電池セル
５  接続導体
８１ａ〜８１ｆ，１８１ａ〜１８１ｃ  バイパスダイオード
Ｇｒ１〜Ｇｒ３，Ｇ11〜Ｇ19，Ｇ21〜Ｇ29，Ｇ31〜Ｇ39，Ｇ41〜Ｇ49，Ｇ11A〜Ｇ19A，Ｇ21A〜Ｇ29A，Ｇ31A〜Ｇ39A，Ｇ41A〜Ｇ49A，Ｇ11B〜Ｇ19B，Ｇ21B〜Ｇ29B，Ｇ31B〜Ｇ39B，Ｇ41B〜Ｇ49B，Ｇ51B〜Ｇ59B，Ｇ61B〜Ｇ69B，Ｇ71B〜Ｇ79B，Ｇ81B〜Ｇ89B，Ｇ91B〜Ｇ99B，Ｇ101B〜Ｇ109B，Ｇ111B〜Ｇ119B，Ｇ121B〜Ｇ129B，Ｇ11C〜Ｇ19C，Ｇ21C〜Ｇ29C，Ｇ31C〜Ｇ39C，Ｇ41C〜Ｇ49C，Ｇ51C〜Ｇ59C，Ｇ61C〜Ｇ69C，Ｇ71C〜Ｇ79C，Ｇ81C〜Ｇ89C，Ｇ91C〜Ｇ99C，Ｇ101C〜Ｇ109C，Ｇ111C〜Ｇ119C，Ｇ121C〜Ｇ129C  セル群
Ｕ１，Ｕ１Ａ，Ｕ１Ｂ，Ｕ１Ｃ  第１セル配列ユニット
Ｕ２，Ｕ２Ａ，Ｕ２Ｂ，Ｕ２Ｃ  第２セル配列ユニット
Ｕ３，Ｕ３Ａ，Ｕ３Ｂ，Ｕ３Ｃ  第３セル配列ユニット
Ｕ４，Ｕ４Ａ，Ｕ４Ｂ，Ｕ４Ｃ  第４セル配列ユニット
Ｕ５Ｂ，Ｕ５Ｃ  第５セル配列ユニット
Ｕ６Ｂ，Ｕ６Ｃ  第６セル配列ユニット
Ｕ７Ｂ，Ｕ７Ｃ  第７セル配列ユニット
Ｕ８Ｂ，Ｕ８Ｃ  第８セル配列ユニット
Ｕ９Ｂ，Ｕ９Ｃ  第９セル配列ユニット
Ｕ１０Ｂ，Ｕ１０Ｃ  第１０セル配列ユニット
Ｕ１１Ｂ，Ｕ１１Ｃ  第１１セル配列ユニット
Ｕ１２Ｂ，Ｕ１２Ｃ  第１２セル配列ユニット
【図１】
2012234896.tif 000003
【図２】
2012234896.tif 000004
【図３】
2012234896.tif 000005
【図４】
2012234896.tif 000006
【図５】
2012234896.tif 000007
【図６】
2012234896.tif 000008
【図７】
2012234896.tif 000009
【図８】
2012234896.tif 000010
【図９】
2012234896.tif 000011
【図１０】
2012234896.tif 000012
【図１１】
2012234896.tif 000013
【図１２】
2012234896.tif 000014
【図１３】
2012234896.tif 000015
【図１４】
2012234896.tif 000016
【図１５】
2012234896.tif 000017
【図１６】
2012234896.tif 000018